(57)【特許請求の範囲】
【請求項１】
幅広部分と幅狭部分とからなる角孔と少なくとも２つの孔が形成された板バネと、上記角孔の幅広部分に入る径大の先端部と上記角孔の幅狭部分が係合する連結部からなるＬ字状の切起し片及び上記孔が挿入される突起が一体に形成された基板とを具備し、上記板バネの１つの孔を上記基板の突起に挿入するとともに、上記板バネの角孔の幅広部分を上記切起し片の先端部に挿入した状態で上記板バネを回転させて上記板バネの角孔の幅狭部分を上記切起し片の連結部に係合させ、さらに上記他の孔を上記基板の他の突起に係合させることを特徴とする板バネ取付装置。
【請求項２】
板バネの一部を折曲げてなる突片を有し、板バネを基板に固定した際の上記突片の弾性力により上記板バネを基板の切起し片の先端部に押圧してなる請求項１記載の板バネ取付装置。
【発明の詳細な説明】
【０００１】
【発明の属する技術分野】
本発明は、各種電子機器に使用する板バネ取付装置、特にシャーシなどの基板に板バネを取付ける板バネ取付装置に関する。
【０００２】
【従来の技術】
図８は従来の板バネ取付装置の概要を示している。図８において、１はシャーシであり、このシャーシ１の外周部には凹部２が形成されている。３は板バネであり、この板バネ３の一部には切起し片４が形成されている。５はシャシー１のバーリングカシメにより板バネ３をシャーシ１の所定位置に固定したカシメ固定部である。シャーシ１の裏面側に突出した板バネ３の切起し片４はシャーシ１の裏面側に配置されたシャフトなどの部材に付勢力を与えるために利用される。
【０００３】
【発明が解決しようとする課題】
しかしながら、上記従来の板バネ取付装置においては、バーリングカシメにより板バネ３をシャーシ１に固定する場合、バーリングカシメのために設備を必要とするため、板バネ取付けに工賃が高くなる問題があった。
【０００４】
本発明は上記従来の問題を解決するものであり、特別の設備を必要とせず、簡単に板バネを固定できる優れた板バネ取付装置を提供することを目的とするものである。
【０００５】
【課題を解決するための手段】
本発明は、上記目的を達成するために、幅広部分と幅狭部分とからなる角孔と少なくとも２つの孔が形成された板バネと、上記角孔の幅広部分に入る径大の先端部と上記角孔の幅狭部分が係合する連結部からなるＬ字状の切起し片及び上記孔が挿入される突起が一体に形成された基板とを使用し、上記板バネの１つの孔を上記基板の突起に挿入するとともに、上記板バネの角孔の幅広部分を上記切起し片の先端部に挿入した状態で上記板バネを回転させて上記板バネの角孔の幅狭部分を上記切起し片の連結部に係合させ、さらに上記他の孔を上記基板の他の突起に係合させるものである。
【０００６】
【発明の実施の形態】
本発明の請求項１記載の発明は、幅広部分と幅狭部分とからなる角孔と少なくとも２つの孔が形成された板バネと、上記角孔の幅広部分に入る径大の先端部と上記角孔の幅狭部分が係合する連結部からなるＬ字状の切起し片及び上記孔が挿入される突起が一体に形成された基板とを具備し、上記板バネの１つの孔を上記基板の突起に挿入するとともに、上記板バネの角孔の幅広部分を上記切起し片の先端部に挿入した状態で上記板バネを回転させて上記板バネの角孔の幅狭部分を上記切起し片の連結部に係合させ、さらに上記他の孔を上記基板の他の突起に係合させることを特徴とするものであり、簡単な構成により板バネを基板に容易に固定できるものである。
【０００７】
本発明の請求項２記載の発明は、板バネの一部を折曲げてなる突片を有し、板バネを基板に固定した際の上記突片の弾性力により上記板バネを基板の切起し片の先端部に押圧することを特徴とするものであり、板バネを基板に容易に固定できるとともに、板バネと切起し片の結合が確実になるものである。
【０００８】
以下に本発明の実施例について、図面とともに説明する。
（実施の形態１）
図１、図２は取付けられる板バネ１０の形状を示している。図１、図２において、１１は板バネ１０に形成された切起し片、１２は板バネ１０の外周部に一体に形成された突片であり、この突片１２は板バネ１０に対してわずかに折曲げられている。１３Ａ、１３Ｂは板バネ１０の両端部側に形成された孔、１４は板バネ１０の中央部付近に形成された角孔であり、この角孔１４は幅の広い部分（幅広部分）１４Ａと幅の狭い部分（幅狭部分）１４Ｂとから成っている。
【０００９】
図３はシャーシ１５を示しており、このシャーシ１５の外周部には凹部１６が形成されている。１７Ａ、１７Ｂはシャーシ１５に形成された突起である。１８は突起１７Ａ、１７Ｂ間に形成されたＬ字状の切起し片であり、この切起し片１８は図４に示すように径小の連結部１８Ａと径大の先端部１８Ｂから構成され、径小の連結部１８Ａでほぼ直角に折曲げられ径大の先端部１８Ｂはシャーシ面に対してほぼ平行になっている。
【００１０】
図６、図７は、板バネ１０をシャーシ１５に固定する過程を示している。図６に示すように、板バネ１０の孔１３Ａをシャーシ１５の突起１７Ａに挿入するとともに、板バネ１０の角孔１４の幅広部分１４Ａを、シャーシ１５の切起し片１８に挿入する。この状態では板バネ１５は折曲げられた突片１２によりシャーシ１５の表面よりわずかに浮いた状態にあり、図６に示す状態で板バネ１０のＰ部分をシャーシ側に押しながら突起１７Ａを中心として板バネ１０を矢印Ｒ方向に回転させる。この回転の過程において、シャーシ１５の切起し片１８の連結部１８Ａが板バネ１０の角孔１４の幅狭部分１４Ｂに入り板バネ１０の角孔１４と切起し片１８とが係合関係になり、また板バネ１０の孔１３Ｂがシャーシ１５の突起１７Ｂに係合し、板バネ１０の固定が完了する（図７）。この状態では、板バネ１０の突片１２の弾性力により板バネ１０の角孔１４の幅狭部分１４Ｂの縁部が切起し片１８の先端部１８Ｂの裏面に押圧される状態になる。
【００１１】
このように、本実施の形態１によれば、カシメのための設備、治具を使用することなく、板バネ１０をシャーシ１５の所定位置に簡単かつ確実に固定できるものである。
【００１２】
【発明の効果】
本発明は、上記実施の形態より明らかなように、本発明の請求項１記載の発明によれば、簡単な構成により板バネを基板に容易に固定できるものである。
【００１３】
また、本発明の請求項２記載の発明によれば、板バネを基板に容易に固定できるとともに、板バネと切起し片の結合が確実になるものである。
【図面の簡単な説明】
【図１】本発明の実施の形態１における板バネ取付装置に使用する板バネの上面図
【図２】本発明の実施の形態１における板バネ取付装置に使用する板バネの側面図
【図３】本発明の実施の形態１における板バネ取付装置に使用するシャーシの上面図
【図４】本発明の実施の形態１における板バネ取付装置に使用するシャーシの側面図
【図５】本発明の実施の形態１における板バネ取付装置に使用するシャーシの断面図
【図６】本発明の実施の形態１における板バネ取付装置の取付前の上面図
【図７】本発明の実施の形態１における板バネ取付装置の取付後の上面図
【図８】従来の板バネ取付装置の取付後の上面図
【符号の説明】
１０  板バネ
１１  切起し片
１２  突片
１３Ａ、１３Ｂ  孔
１４  角孔
１４Ａ  幅広部分
１４Ｂ  幅狭部分
１５  シャーシ
１６  凹部
１７Ａ、１７Ｂ  突起
１８  切起し片
１８Ａ  先端部
１８Ｂ  連結部
【図１】
0003948107.tif 000002
【図２】
0003948107.tif 000003
【図３】
0003948107.tif 000004
【図４】
0003948107.tif 000005
【図５】
0003948107.tif 000006
【図６】
0003948107.tif 000007
【図７】
0003948107.tif 000008
【図８】
0003948107.tif 000009